(57)【特許請求の範囲】
【請求項１】
第一方向に並ぶ第一のスペーサ及び第二のスペーサと、
前記第一のスペーサ及び前記第二のスペーサの間に配置される蓄電素子と、を備え、
前記第一のスペーサは、
前記第一方向と直交する方向に広がり且つ前記蓄電素子を向く第一の面を有すると共に、前記蓄電素子との間に流体が流通可能な流路を形成する第一のベースと、
前記蓄電素子における第一方向と直交する第二方向の端部に沿って前記第一のベースから第一方向に延びる第一の規制部と、
前記第一のベースの前記第一の面及び前記第一の規制部から前記蓄電素子に向けて突出し且つ該蓄電素子に接する第一の突部と、を有し、
前記第一の突部は、前記第一のベースの前記第一の面において前記第二方向に延びる第一部位と、前記第一の規制部において前記第一のベース側から該第一の規制部の先端まで延びる第二部位と、を含むと共に、少なくとも前記第一部位における前記第一の規制部側の端部から前記第二部位の先端まで連続し、
前記第二のスペーサは、
前記第一方向と直交する方向に広がり且つ前記蓄電素子を向く第二の面を有すると共に、前記蓄電素子との間に流体が流通可能な流路を形成する第二のベースと、
前記蓄電素子における前記第二方向の前記端部に沿って前記第二のベースから前記第一方向に延びる第二の規制部と、
前記第二のベースの前記第二の面及び前記第二の規制部から前記蓄電素子に向けて突出し且つ該蓄電素子に接する第二の突部と、を有し、
前記第二の突部は、前記第二のベースの前記第二の面において前記第二方向に延び、且つ前記第一方向及び前記第二方向と直交する第三方向において前記第一の突部の前記第一部位と異なる位置に配置される第三部位と、前記第二の規制部において前記第二のベース側から該第二の規制部の先端まで延びる第四部位と、を含むと共に、少なくとも前記第三部位における前記第二の規制部側の端部から前記第四部位の先端まで連続し、
前記第一のスペーサの前記第一の規制部の先端と前記第二のスペーサの前記第二の規制部の先端とは、前記第一方向において対向し、
前記第一のスペーサにおける前記第二部位の先端と、前記第二のスペーサにおける前記第四部位の先端とは、対向する、蓄電装置。
【請求項２】
前記第二部位と前記第四部位とは、前記第三方向の同じ位置において前記第一方向にそれぞれ延び、
前記第三部位は、前記第三方向において前記第二部位及び前記第四部位と同じ位置に配置され、
前記第一の突部は、前記第一部位と前記第二部位とを接続する接続部位を含み、
前記接続部位は、前記第一部位から前記第二部位に向かうにつれて前記第三方向の位置を連続的に変化させる、請求項１に記載の蓄電装置。
【請求項３】
前記第一のベースは、板状の部位であり、且つ前記第一方向及び前記第三方向を含む面に沿った断面が前記蓄電素子に向けて膨出する第一の膨出部位を有し、
前記第一部位は、前記第一の膨出部位に配置され、
前記第一のベース、前記第一の規制部、及び前記第一の突部は、樹脂製の一体品であり、
前記接続部位は、前記第一の膨出部位と前記第一の規制部とが接続される角部に配置され、
前記接続部位の第三方向の寸法は、前記第一部位の第三方向の寸法より小さい、請求項２に記載の蓄電装置。
【請求項４】
前記第一部位は、前記第三方向において、前記第二部位、前記第三部位、及び前記第四部位より前記第一のベースの端部に近い位置に配置される、請求項２又は３に記載の蓄電装置。
【請求項５】
蓄電素子を備える蓄電装置において前記蓄電素子と隣り合うように配置可能なスペーサであって、
第一方向と直交する方向に広がると共に、前記第一方向の一方を向く第一の面及び前記第一方向の他方を向く第二の面を有するベースと、
前記ベースにおける前記第一方向と直交する第二方向の端部から前記第一方向の一方に延びる第一の規制部と、
前記第一方向及び前記第二方向と直交する第三方向における前記第一の規制部と同じ位置において前記ベースの前記端部から前記第一方向の他方に延びる第二の規制部と、
前記ベースの前記第一の面及び前記第一の規制部から突出する第一の突部と、
前記ベースの前記第二の面及び前記第二の規制部から突出する第二の突部と、を備え、
前記第一の突部は、前記第一の面において前記第二方向に延びる第一部位と、前記第一の規制部において前記ベース側から該第一の規制部の先端まで延びる第二部位と、を含むと共に、少なくとも前記第一部位の前記第一の規制部側の端部から前記第二部位の先端まで連続し、
前記第二の突部は、前記第二の面において前記第二方向に延び且つ前記第三方向において前記第一の突部の前記第一部位と異なる位置に配置される第三部位と、前記第二の規制部において前記ベース側から該第二の規制部の先端まで延びる第四部位と、を含むと共に、少なくとも前記第三部位の前記第二の規制部側の端部から前記第四部位の先端まで連続し、
前記第二部位の先端と、前記第四部位の先端とは、前記第三方向において同じ位置である、スペーサ。
【請求項６】
前記ベースは、
板状の部位であり且つ前記第一方向及び前記第三方向を含む面に沿った断面が前記第一方向の一方側に膨出する第一の膨出部位と、
板状の部位であり且つ前記第一方向及び前記第三方向を含む面に沿った断面が前記第一方向の他方側に膨出する第二の膨出部位と、を有し、
前記第一の膨出部位と前記第二の膨出部位とは、前記ベースにおいて前記第三方向の異なる位置に配置され、
前記第一部位は、前記第一の膨出部位に設けられ、
前記第三部位は、前記第二の膨出部位に設けられ、
前記ベース、前記第一の規制部、前記第二の規制部、前記第一の突部、及び前記第二の突部は、樹脂製の一体品であり、
前記第一の突部は、前記第一部位と前記第二部位とを接続し、且つ前記第一の膨出部位と前記第一の規制部とが接続される角部に配置される接続部位を含み、
前記接続部位の前記第三方向の寸法は、前記第一部位の前記第三方向の寸法より小さい、請求項５に記載のスペーサ。
【発明の詳細な説明】
【技術分野】
【０００１】
本発明は、所定の方向に並ぶスペーサと、隣り合うスペーサ間に配置される蓄電素子と、を備える蓄電装置、及び蓄電装置に用いられるスペーサに関する。
【背景技術】
【０００２】
従来から、複数の電池セルと、隣り合う電池セルの間に配置される複数の蓄電セルホルダと、を備えた蓄電装置が知られている（特許文献１参照）。
【０００３】
具体的に、この蓄電装置は、図２１及び図２２に示されるように、所定の方向（積層方向）に並ぶ複数の電池セル５０１と、隣り合う電池セル５０１の間に配置される複数の蓄電セルホルダ５０２と、を備える。蓄電セルホルダ５０２は、電池セル５０１の間に配置され且つ積層方向と直交する方向に広がる波板状のプレート部５０３と、プレート部５０３の四隅から積層方向に突出する係合部５０４と、を備える。係合部５０４が相互に係合することで隣り合う蓄電セルホルダ５０２同士が相互に位置決めされるとともに、係合部５０４が電池セル５０１の四隅に係合することで、蓄電セルホルダ５０２に対して電池セル５０１が位置決めされる。このとき、波板状のプレート部５０３と、該プレート部５０３と隣り合う電池セル５０１との間に、電池セル５０１の幅方向に延びる複数の冷却媒体通路５０５が形成される。そして、蓄電セルホルダ５０２のプレート部５０３の上縁および下縁には、幅方向に延びるシール突起５０６が設けられ、このシール突起５０６が電池セル５０１の表面に設けられた絶縁シートに食い込むように圧接されることで、冷却媒体通路５０５の上部および下部から冷却空気よりなる冷却媒体が漏れないようにシールされる。
【０００４】
蓄電装置５００では、図２２に示すように、電池セル５０１を挟んで隣り合う一対の蓄電セルホルダ５０２における一方の蓄電セルホルダ５０２のプレート部５０３の電池セル５０１を向いた面（図２２において左側の蓄電セルホルダ５０２の右側を向いた面）と面（図２２において右側の蓄電セルホルダ５０２の左側を向いた面）とに設けられたシール突起５０６の高さ位置が異なっている。そして、各蓄電セルホルダ５０２において、係合部５０４の電池セル５０１を向いた部位ではプレート部５０３から係合部５０４の先端までシール突起５０６が積層方向に真っ直ぐ延びている。このため、積層方向の一方側（図２２において中央の電池セル５０１の左側の蓄電セルホルダ５０２における右側）に延びる係合部５０４に設けられたシール突起５０６と、他方側（図２２において中央の電池セル５０１の右側の蓄電セルホルダ５０２における左側）に延びる係合部５０４に設けられたシール突起５０６との高さ位置は、異なる。このとき、積層方向において電池セル５０１の両側に配置される蓄電セルホルダ５０２の対応する係合部５０４同士は、先端を対向させているが、これら先端を対向させた一対の係合部５０４において、シール突起５０６の高さ位置は、それぞれ異なっている。これにより、前記一対の係合部５０４において、前記一方側に延びる係合部５０４に設けられたシール突起５０６の先端と、前記他方側に延びる係合部５０４に設けられたシール突起５０６の先端との間隔が大きくなり（具体的には、係合部５０４の先端同士の間隔より大きくなり）、その結果、前記間隔（電池セル５０１と、該電池セル５０１の四隅において積層方向に延びる係合部５０４との間）から、冷却流体が漏れる。この場合、電池セル５０１の冷却効率等が低下する。
【先行技術文献】
【特許文献】
【０００５】
【特許文献１】特開２０１４−３５９６９号公報
【発明の概要】
【発明が解決しようとする課題】
【０００６】
そこで、本発明は、蓄電素子とスペーサとの間を流れる流体が蓄電素子とスペーサの規制部との間から外部に漏れ難い蓄電装置、及び前記蓄電装置に用いられるスペーサを提供することを課題とする。
【課題を解決するための手段】
【０００７】
本発明に係る蓄電装置は、
第一方向に並ぶ第一のスペーサ及び第二のスペーサと、
前記第一のスペーサ及び前記第二のスペーサの間に配置される蓄電素子と、を備え、
前記第一のスペーサは、
前記第一方向と直交する方向に広がり且つ前記蓄電素子を向く第一の面を有すると共に、前記蓄電素子との間に流体が流通可能な流路を形成する第一のベースと、
前記蓄電素子における第一方向と直交する第二方向の端部に沿って前記第一のベースから第一方向に延びる第一の規制部と、
前記第一のベースの前記第一の面及び前記第一の規制部から前記蓄電素子に向けて突出し且つ該蓄電素子に接する第一の突部と、を有し、
前記第一の突部は、前記第一のベースの前記第一の面において前記第二方向に延びる第一部位と、前記第一の規制部において前記第一のベース側から該第一の規制部の先端まで延びる第二部位と、を含むと共に、少なくとも前記第一部位における前記第一の規制部側の端部から前記第二部位の先端まで連続し、
前記第二のスペーサは、
前記第一方向と直交する方向に広がり且つ前記蓄電素子を向く第二の面を有すると共に、前記蓄電素子との間に流体が流通可能な流路を形成する第二のベースと、
前記蓄電素子における前記第二方向の前記端部に沿って前記第二のベースから前記第一方向に延びる第二の規制部と、
前記第二のベースの前記第二の面及び前記第二の規制部から前記蓄電素子に向けて突出し且つ該蓄電素子に接する第二の突部と、を有し、
前記第二の突部は、前記第二のベースの前記第二の面において前記第二方向に延び、且つ前記第一方向及び前記第二方向と直交する第三方向において前記第一の突部の前記第一部位と異なる位置に配置される第三部位と、前記第二の規制部において前記第二のベース側から該第二の規制部の先端まで延びる第四部位と、を含むと共に、少なくとも前記第三部位における前記第二の規制部側の端部から前記第四部位の先端まで連続し、
前記第一のスペーサの前記第一の規制部の先端と前記第二のスペーサの前記第二の規制部の先端とは、前記第一方向において対向し、
前記第一のスペーサにおける前記第二部位の先端と、前記第二のスペーサにおける前記第四部位の先端とは、対向する。
【０００８】
かかる構成によれば、第一のスペーサの第一の面と第二のスペーサの第二の面とにおいて突部（第一部位と第三部位）の第三方向の位置が異なっていても、蓄電素子の第二方向の端部において対向する一対の規制部（第一の規制部と第二の規制部）の先端まで突部（第一の突部及び第二の突部）がそれぞれ延び且つ先端同士が互いに対向しているため、蓄電素子の第二方向の端部では、対向する一対の規制部同士の間隔分しか突部の先端間に隙間が形成されない。これにより、対向する一対の規制部のそれぞれに形成された突部同士の間からの流体（流路を流れる流体）の漏れ、即ち、蓄電素子と規制部（先端を対向させている第一の規制部及び第二の規制部）との間からの流体の漏れを抑えることができる。
【０００９】
また、前記蓄電装置では、
前記第二部位と前記第四部位とは、前記第三方向の同じ位置において前記第一方向にそれぞれ延び、
前記第三部位は、前記第三方向において前記第二部位及び前記第四部位と同じ位置に配置され、
前記第一の突部は、前記第一部位と前記第二部位とを接続する接続部位を含み、
前記接続部位は、前記第一部位から前記第二部位に向かうにつれて前記第三方向の位置を連続的に変化させてもよい。
【００１０】
かかる構成によれば、接続部位が第三方向において位置の異なる第一部位と第二部位とをなだらかに接続しているため、第一の突部に屈曲した部位が形成されず、これにより、蓄電素子と第一の突部との間からの流体の漏れが好適に抑えられる。
【００１１】
また、前記蓄電装置では、
前記第一のベースは、板状の部位であり、且つ前記第一方向及び前記第三方向を含む面に沿った断面が前記蓄電素子に向けて膨出する第一の膨出部位を有し、
前記第一部位は、前記第一の膨出部位に配置され、
前記第一のベース、前記第一の規制部、及び前記第一の突部は、樹脂製の一体品であり、
前記接続部位は、前記第一の膨出部位と前記第一の規制部とが接続される角部に配置され、
前記接続部位の第三方向の寸法は、前記第一部位の第三方向の寸法より小さいことが好ましい。
【００１２】
かかる構成によれば、第一のベースに第一方向の力が加わる等によって第一の膨出部位が第三方向に伸びても（変形しても）、樹脂製の薄い（第三方向の寸法の小さい）接続部位が変形して第一部位と第二部位との第三方向における相対位置の変動を吸収し、これにより、蓄電素子と接続部位との間からの流体の漏れを抑えることができる。
【００１３】
また、前記蓄電装置では、
前記第一部位は、前記第三方向において、前記第二部位、前記第三部位、及び前記第四部位より前記第一のベースの端部に近い位置に配置されてもよい。
【００１４】
かかる構成によれば、第一部位のみが第一のベースの第三方向の端部に近い位置に配置される（即ち、第二〜第四部位が第三方向において前記端部から離れた位置に配置される）ため、寸法誤差等によって蓄電素子の第三方向の寸法が設定値より小さくても、第二〜第四部位が蓄電素子と当接し易く、これにより、前記寸法誤差等に起因する流体の漏れの増大を抑えることができる。
【００１５】
また、本発明に係るスペーサは、
第一方向と直交する方向に広がると共に、前記第一方向の一方を向く第一の面及び前記第一方向の他方を向く第二の面を有するベースと、
前記ベースにおける前記第一方向と直交する第二方向の端部から前記第一方向の一方に延びる第一の規制部と、
前記第一方向及び前記第二方向と直交する第三方向における前記第一の規制部と同じ位置において前記ベースの前記端部から前記第一方向の他方に延びる第二の規制部と、
前記ベースの前記第一の面及び前記第一の規制部から突出する第一の突部と、
前記ベースの前記第二の面及び前記第二の規制部から突出する第二の突部と、を備え、
前記第一の突部は、前記第一の面において前記第二方向に延びる第一部位と、前記第一の規制部において前記ベース側から該第一の規制部の先端まで延びる第二部位と、を含むと共に、少なくとも前記第一部位の前記第一の規制部側の端部から前記第二部位の先端まで連続し、
前記第二の突部は、前記第二の面において前記第二方向に延び且つ前記第三方向において前記第一の突部の前記第一部位と異なる位置に配置される第三部位と、前記第二の規制部において前記ベース側から該第二の規制部の先端まで延びる第四部位と、を含むと共に、少なくとも前記第三部位の前記第二の規制部側の端部から前記第四部位の先端まで連続し、
前記第二部位の先端と、前記第四部位の先端とは、前記第三方向において同じ位置である。
【００１６】
かかる構成によれば、スペーサと蓄電素子とを第一方向に交互に配置することで、蓄電素子を挟んで対向するスペーサの第一の面と第二の面とにおいて突部（第一部位と第三部位）の第三方向の位置が異なっていても、蓄電素子の第二方向の端部において対向する一対の規制部（第一の規制部と第二の規制部）の先端まで突部（第一の突部及び第二の突部）がそれぞれ延び且つ先端同士が互いに対向しているため、蓄電素子の第二方向の端部では、対向する一対の規制部同士の間隔分しか突部の先端間に隙間が形成されない。これにより、対向する一対の規制部のそれぞれに形成された突部同士の間からの流体（流路を流れる流体）の漏れ、即ち、蓄電素子と規制部（先端を対向させている第一の規制部及び第二の規制部）との間からの流体の漏れを抑えることができる。
【００１７】
また、前記スペーサでは、
前記ベースは、
板状の部位であり且つ前記第一方向及び前記第三方向を含む面に沿った断面が前記第一方向の一方側に膨出する第一の膨出部位と、
板状の部位であり且つ前記第一方向及び前記第三方向を含む面に沿った断面が前記第一方向の他方側に膨出する第二の膨出部位と、を有し、
前記第一の膨出部位と前記第二の膨出部位とは、前記ベースにおいて前記第三方向の異なる位置に配置され、
前記第一部位は、前記第一の膨出部位に設けられ、
前記第三部位は、前記第二の膨出部位に設けられ、
前記ベース、前記第一の規制部、前記第二の規制部、前記第一の突部、及び前記第二の突部は、樹脂製の一体品であり、
前記第一の突部は、前記第一部位と前記第二部位とを接続し、且つ前記第一の膨出部位と前記第一の規制部とが接続される角部に配置される接続部位を含み、
前記接続部位の前記第三方向の寸法は、前記第一部位の前記第三方向の寸法より小さいことが好ましい。
【００１８】
かかる構成によれば、スペーサと蓄電素子とを第一方向に交互に配置したときに、第一のベースに第一方向の力が加わる等によって第一の膨出部位が第三方向に伸びても（変形しても）、樹脂製の薄い（第三方向の寸法の小さい）接続部位が変形して第一部位と第二部位との第三方向における相対位置の変動を吸収し、これにより、蓄電素子と接続部位との間からの流体の漏れを抑えることができる。
【発明の効果】
【００１９】
以上より、本発明によれば、蓄電素子とスペーサとの間を流れる流体が蓄電素子とスペーサの規制部との間から外部に漏れ難い蓄電装置、及び前記蓄電装置に用いられるスペーサを提供することができる。
【図面の簡単な説明】
【００２０】
【図１】図１は、本実施形態に係る蓄電装置の斜視図である。
【図２】図２は、前記蓄電装置の分解斜視図である。
【図３】図３は、前記蓄電装置が備える蓄電素子の斜視図である。
【図４】図４は、前記蓄電素子の分解斜視図である。
【図５】図５は、前記蓄電装置が備える内部スペーサの第一面側の正面図である。
【図６】図６は、前記内部スペーサの第二面側の正面図である。
【図７】図７は、図５におけるＶＩＩ−ＶＩＩ位置の断面図である。
【図８】図８は、前記内部スペーサの第一面側の斜視図である。
【図９】図９は、前記内部スペーサの第二面側の斜視図である。
【図１０】図１０は、前記内部スペーサの第一面側の斜視図である。
【図１１】図１１は、前記内部スペーサの第二面側の斜視図である。
【図１２】図１２は、前記内部スペーサがＸ軸方向に並んだ状態の断面図である。
【図１３】図１３は、前記内部スペーサにおける第一の角規制部及びその周辺の拡大斜視図である。
【図１４】図１４は、前記内部スペーサにおける第二の角規制部及びその周辺の拡大斜視図である。
【図１５】図１５は、前記内部スペーサにおける第三の角規制部及びその周辺の拡大斜視図である。
【図１６】図１６は、前記内部スペーサにおける第四の角規制部及びその周辺の拡大斜視図である。
【図１７】図１７は、前記蓄電装置が備える外部スペーサを説明するための分解斜視図である。
【図１８】図１８は、他実施形態に係るシール部を説明するための模式図である。
【図１９】図１９は、他実施形態に係るシール部を説明するための模式図である。
【図２０】図２０は、他実施形態に係るシール部を説明するための模式図である。
【図２１】図２１は、従来技術に係る蓄電装置の構成を説明するための分解斜視図である。
【図２２】図２２は、前記蓄電装置の部分拡大図である。
【発明を実施するための形態】
【００２１】
以下、本発明の一実施形態について、図１〜図１７を参照しつつ説明する。尚、本実施形態の各構成部材（各構成要素）の名称は、本実施形態におけるものであり、背景技術における各構成部材（各構成要素）の名称と異なる場合がある。
【００２２】
蓄電装置は、図１及び図２に示すように、所定の方向（第一方向）に並ぶ複数の蓄電素子１０と、隣り合う蓄電素子１０の間に配置される複数のスペーサ２Ａと、を備える。本実施形態の蓄電装置１は、蓄電素子１０の列の外側に配置されるスペーサ２Ｂも備える。また、蓄電装置１は、複数の蓄電素子１０及び複数のスペーサ２Ａ、２Ｂをひとまとめに保持する保持部材３と、蓄電素子１０と保持部材３との間に配置されるインシュレータ４と、隣り合う二つの蓄電素子１０の外部端子１３同士を電気的に接続するバスバー５と、を備える。
【００２３】
蓄電素子１０は、図３及び図４にも示すように、正極及び負極を含む電極体１１と、電極体１１を収容するケース１２と、ケース１２の外面上に配置された一対の外部端子１３と、を備える。また、蓄電素子１０は、電極体１１とケース１２との間に配置される絶縁部材１５等も備える。
【００２４】
ケース１２は、開口を有するケース本体１２０と、ケース本体１２０の開口を閉じる蓋板１２１と、を有する。
【００２５】
ケース本体１２０は、板状の閉塞部１２３と、閉塞部１２３の周縁に接続された筒状の胴部１２４と、を備える。
【００２６】
胴部１２４は、間隔をあけて互いに対向する一対の第一壁１２５と、一対の第一壁１２５を挟んで互いに対向する一対の第二壁１２６と、を備える。
【００２７】
第一壁１２５及び第二壁１２６のそれぞれは、矩形状に形成される。第一壁１２５及び第二壁１２６は、互いの端縁を突き合わせた状態で隣り合う。隣り合う第一壁１２５及び第二壁１２６の端縁同士は、全長に亘って接続されている。これにより、胴部１２４は、角筒状となる。胴部１２４の一端は、閉塞部１２３によって閉塞され、胴部１２４の他端は、開口する。即ち、ケース本体１２０は、有底角筒形状を有する。本実施形態の胴部１２４は、扁平な角筒状に形成されている。この胴部１２４の角部１２７、即ち、第一壁１２５と第二壁１２６との接続部位は、開口方向視において円弧状である。
【００２８】
蓋板１２１は、ケース本体１２０の開口を塞ぐ板状の部材である。具体的に、蓋板１２１は、法線方向視において、ケース本体１２０の開口周縁部に対応した輪郭形状を有する。即ち、蓋板１２１は、法線方向視において、一方向（一対の第二壁１２６が対向する方向）に長い矩形状の板材である。この蓋板１２１の四隅は、円弧状である。
【００２９】
本実施形態のケース１２では、蓋板１２１の周縁部がケース本体１２０の開口周縁部に重ねられて該ケース本体１２０の開口が塞がれた状態で、蓋板１２１とケース本体１２０との境界部が溶接されている。
【００３０】
本実施形態の蓄電装置１は、上述のように、一方向に整列する複数の蓄電素子１０を備える。複数の蓄電素子１０のそれぞれは、ケース１２の第一壁１２５を一方向に向けて整列している。
【００３１】
尚、以下の説明では、蓄電素子１０の整列する方向（第一方向）を直交座標におけるＸ軸方向とする。また、蓄電素子１０の第二壁１２６の対向する方向（第二方向）を直交座標におけるＹ軸方向とし、蓋板１２１と閉塞部１２３との対向する方向（第三方向）を直交座標におけるＺ軸方向とする。これに伴い、各図面に、Ｘ軸方向、Ｙ軸方向、及びＺ軸方向のそれぞれに対応する直交座標軸を補助的に図示する。
【００３２】
本実施形態の蓄電装置１は、上述のように、２種類のスペーサ２Ａ、２Ｂを備える。具体的に、蓄電装置１は、隣り合う二つの蓄電素子１０の間に配置される内部スペーサ２Ａと、複数の蓄電素子１０のうちの最も端にある蓄電素子１０と隣り合う外部スペーサ２Ｂと、を備える。本実施形態の内部スペーサ２Ａと外部スペーサ２Ｂとは、樹脂製であり、一体成形されている。
【００３３】
内部スペーサ２Ａは、図５〜図１２にも示すように、蓄電素子１０（詳しくは、ケース本体１２０の第一壁１２５）に隣り合うベース２０Ａと、該ベース２０Ａに隣り合う二つの蓄電素子１０の該ベース２０Ａに対する位置ずれを防止する規制部２１Ａと、を有する。また、内部スペーサ２Ａは、Ｘ軸方向の両側においてベース２０Ａ及び規制部２１Ａから隣り合う蓄電素子１０に向けて突出し且つ該隣り合う蓄電素子１０に接する一対のシール部（突部）２２を有する。本実施形態の内部スペーサ２Ａは、Ｚ軸方向の両端部に一対のシール部２２をそれぞれ有する。以下では、Ｚ軸方向において蓄電素子１０の蓋板１２１に近いシール部を蓋側シール部２３Ａ、２３Ｂと称し、蓄電素子１０の閉塞部１２３に近いシール部を底側シール部２４Ａ、２４Ｂと称する。
【００３４】
内部スペーサ２Ａのベース２０Ａは、隣り合う蓄電素子１０の間においてＸ軸方向と直交する方向（Ｙ−Ｚ面（Ｙ軸及びＺ軸を含む面）方向）に広がり、且つＸ軸方向の両側において隣り合う蓄電素子１０の少なくとも一方との間に流体が流通可能な流路を形成する。このベース２０Ａは、Ｘ軸方向の一方を向く第一面（図５に示す面）と、該第一面と反対側を向く第二面（図６に示す面）と、を有する。
【００３５】
ベース２０Ａは、蓄電素子１０の蓋板１２１に対応する位置に配置される第一端（図５における上端）と、該第一端とは反対側の第二端であって、蓄電素子１０の閉塞部１２３に対応する位置に配置される第二端（図５における下端）と、を有する。また、内部スペーサ２Ａのベース２０Ａは、蓄電素子１０の一方の第二壁１２６に対応する位置に配置される第三端（図５における左端）と、該第三端とは反対側の第四端であって、蓄電素子１０の他方の第二壁１２６に対応する位置に配置される第四端（図５における右端）と、を有する。
【００３６】
このベース２０Ａは、該ベース２０Ａの第一端と第三端とが接続される部分である第一角部（図５における左上の角部）と、第一端と第四端とが接続される部分である第二角部（図５における右上の角部）とを有する。また、ベース２０Ａは、第二端と第三端とが接続される部分である第三角部（図５における左下の角部）と、第二端と第四端とのそれぞれが接続される部分である第四角部（図５における右下の角部）とを有する。
【００３７】
尚、ベース２０Ａの第一端及び第二端のぞれぞれは、Ｙ軸方向に延びる。また、ベース２０Ａの第三端及び第四端のそれぞれは、Ｚ軸方向に延びる。これにより、ベース２０Ａは、Ｘ軸方向視において略矩形状の輪郭を有する。この輪郭は、Ｘ軸方向視において、蓄電素子１０の第一壁１２５と略同じ大きさである。
【００３８】
ベース２０Ａは、該ベース２０Ａの第一面と、該第一面と隣り合う蓄電素子１０との間、及び該ベース２０Ａの第二面と、該第二面と隣り合う蓄電素子１０との間の少なくとも一方に、流体（例えば、蓄電素子１０の温度調整用の流体）を通過させるための流路を形成する。
【００３９】
本実施形態のベース２０Ａは、Ｘ軸方向の両側に（第一面側と第二面側とに）流路を形成する。具体的に、ベース２０Ａは、矩形波形状に形成される（図７参照）。このベース２０Ａは、隣り合う二つの蓄電素子１０のうちの一方の蓄電素子１０のみに当接する第一当接部２００Ａと、隣り合う二つの蓄電素子１０のうちの他方の蓄電素子１０のみに当接する第二当接部２０１Ａと、第一当接部２００Ａと第二当接部２０１Ａとを接続する連接部２０２Ａと、を有する。より詳しくは、以下の通りである。
【００４０】
ベース２０Ａは、複数の第一当接部２００Ａと、複数の第二当接部２０１Ａとを有する。第一当接部２００Ａ及び第二当接部２０１Ａのそれぞれは、Ｙ軸方向に長い矩形状である。そして、第一当接部２００Ａと第二当接部２０１Ａとは、Ｘ軸方向の異なる位置に配置され、且つＺ軸方向において交互に並ぶ。これにより、第一当接部２００Ａにおける蓄電素子１０と当接する面とは反対側の面と、第一当接部２００ＡのＺ軸方向の両端に繋がる一対の連接部２０２Ａと、第二当接部２０１Ａに当接する蓄電素子１０と、によって、流路が形成される。また、第二当接部２０１Ａにおける蓄電素子１０と当接する面とは反対側の面と、第二当接部２０１ＡのＺ軸方向の両端に繋がる一対の連接部２０２Ａと、第一当接部２００Ａと当接する蓄電素子１０と、によって、流路が形成される。これにより、ベース２０Ａの第一面と、該第一面と隣り合う蓄電素子１０との間、及びベース２０Ａの第二面と、該第二面と隣り合う蓄電素子１０との間、のそれぞれに流路が形成される。以上のように構成される各流路は、流体をＹ軸方向に流通させる。
【００４１】
また、ベース２０Ａは、Ｚ軸方向の両端部のそれぞれにおいて、Ｙ軸方向に延びる湾曲部位（第一の膨出部位及び第二の膨出部位）２０５を有する。この湾曲部位２０５のそれぞれは、図７に示すように、Ｘ−Ｚ面（Ｘ軸とＺ軸とを含む面）方向の断面がＺ軸方向の異なる位置でＸ軸方向の一方側（ベース２０Ａの第一面側）と他方側（ベース２０Ａの第二面側）とに膨出するＳ字状の部位である。詳しくは、湾曲部位２０５は、板状の部位であり且つＸ−Ｚ面に沿った断面がＸ軸方向の一方側（図７に示す例では左側）に膨出する第一の膨出部位２０６と、板状の部位であり且つＸ−Ｚ面に沿った断面がＸ軸方向の他方側（図７に示す例では右側）に膨出する第二の膨出部位２０７と、を有する。そして、これら第一の膨出部位２０６と第二の膨出部位２０７とは、Ｚ軸方向に連なっている。Ｘ軸方向において、湾曲部位２０５の前記一方側に膨出している部位（第一の膨出部位）２０６は、端部（膨出方向の先端）が第一当接部２００Ａの位置まで、又は当該位置より膨出し、湾曲部位２０５の前記他方側に膨出している部位（第二の膨出部位）２０７は、端部（膨出方向の先端）が第二当接部２０１Ａの位置まで、又は当該位置より膨出している。
【００４２】
規制部２１Ａは、図２、図５〜図１１に示すように、ベース２０Ａと隣り合う蓄電素子１０におけるＹ軸方向の端部に沿って該ベース２０ＡからＸ軸方向の両側に向けてそれぞれ延びている。即ち、規制部２１Ａは、ベース２０Ａの第一面に隣り合う蓄電素子１０と、ベース２０Ａの第二面に隣り合う蓄電素子１０とに向かってベース２０Ａから延びる。そして、Ｘ軸方向において蓄電素子１０の両側に配置される内部スペーサ２Ａの対応する規制部２１Ａ同士は、先端を対向させている（図１２参照）。この規制部２１Ａは、上述のように、ベース２０Ａに隣り合う二つの蓄電素子１０の該ベース２０Ａに対するＹ−Ｚ面方向の位置ずれを防止する。これにより、規制部２１Ａは、内部スペーサ２Ａに隣り合う二つの蓄電素子１０のＹ−Ｚ面方向の相対移動を規制する。
【００４３】
より具体的に説明する。規制部２１Ａは、ベース２０Ａの各角部に形成される。即ち、内部スペーサ２Ａは、複数（本実施形態の例では四つ）の規制部２１Ａを有する。具体的に、内部スペーサ２Ａは、第一角部に形成される第一の角規制部２１１Ａと、第二角部に形成される第二の角規制部２１２Ａと、第三角部に形成される第三の角規制部２１３Ａ、第四角部に形成される第四の角規制部２１４Ａと、を有する。尚、以下において、各角規制部２１１Ａ〜２１４ＡにおけるＸ軸方向の一方側（図２における左側）に延びる部位を第一の規制部と称し、Ｘ軸方向の他方側（図２における右側）に延びる部位を第二の規制部と称することもある。
【００４４】
第一の角規制部２１１Ａは、Ｘ軸方向におけるベース２０Ａの両側に配置される蓄電素子１０のそれぞれの胴部１２４の一方の第二壁１２６に沿って延び且つ該一方の第二壁１２６と対向する第一対向面２１１１を有する（図８参照）。また、第一の角規制部２１１Ａは、Ｘ軸方向におけるベース２０Ａの両側に配置される蓄電素子１０のそれぞれの蓋板１２１に沿って延び且つ該蓋板１２１と対向する第二対向面２１１２を有する。第一の角規制部２１１Ａの第一対向面２１１１と第二対向面２１１２とは、接続されている。そして、Ｘ軸方向において蓄電素子１０の両側に配置される内部スペーサ２Ａの第一の角規制部２１１Ａ同士は、先端を対向させている（図１２参照）。即ち、蓄電素子１０を挟んで隣り合う二つの内部スペーサ２Ａのうちの一方の内部スペーサ２Ａの第一の角規制部２１１Ａ（詳しくは、第一の規制部）と、他方の内部スペーサ２Ａの第一の角規制部２１１Ａ（詳しくは、第二の規制部）とは、先端を対向させている。
【００４５】
第二の角規制部２１２Ａは、Ｘ軸方向におけるベース２０Ａの両側に配置される蓄電素子１０のそれぞれの胴部１２４の他方の第二壁１２６に沿って延び且つ該他方の第二壁１２６と対応する第一対向面２１１１を有する。また、第二の角規制部２１２Ａは、Ｘ軸方向におけるベース２０Ａの両側に配置される蓄電素子１０のそれぞれの蓋板１２１に沿って延び且つ該蓋板１２１と対向する第二対向面２１１２を有する。第二の角規制部２１２Ａの第一対向面２１１１と第二対向面２１１２とは、接続されている。そして、Ｘ軸方向において蓄電素子１０の両側に配置される内部スペーサ２Ａの第二の角規制部２１２Ａ同士は、先端を対向させている（図２参照）。即ち、蓄電素子１０を挟んで隣り合う二つの内部スペーサ２Ａのうちの一方の内部スペーサ２Ａの第二の角規制部２１２Ａ（詳しくは、第一の規制部）と、他方の内部スペーサ２Ａの第二の角規制部２１２Ａ（詳しくは、第二の規制部）とは、先端を対向させている。
【００４６】
第三の角規制部２１３Ａは、Ｘ軸方向におけるベース２０Ａの両側に配置される蓄電素子１０のそれぞれの胴部１２４の一方の第二壁１２６に沿って延び且つ該一方の第二壁１２６と対向する第三対向面２１１３を有する（図１０参照）。また、第三の角規制部２１３Ａは、Ｘ軸方向におけるベース２０Ａの両側に配置される蓄電素子１０のそれぞれの閉塞部１２３に沿って延び且つ該閉塞部１２３と対向する第四対向面２１１４を有する。第三の角規制部２１３Ａの第三対向面２１１３と第四対向面２１１４とは、接続されている。そして、Ｘ軸方向において蓄電素子１０の両側に配置される内部スペーサ２Ａの第三の角規制部２１３Ａ同士は、先端を対向させている（図１２参照）。即ち、蓄電素子１０を挟んで隣り合う二つの内部スペーサ２Ａのうちの一方の内部スペーサ２Ａの第三の角規制部２１３Ａ（詳しくは、第一の規制部）と、他方の内部スペーサ２Ａの第三の角規制部２１３Ａ（詳しくは、第二の規制部）とは、先端を対向させている。
【００４７】
第四の角規制部２１４Ａは、Ｘ軸方向におけるベース２０Ａの両側に配置される蓄電素子１０のそれぞれの胴部１２４の他方の第二壁１２６に沿って延び且つ該他方の第二壁１２６と対向する第三対向面２１１３を有する。また、第四の可動規制部２１４Ａは、Ｘ軸方向におけるベース２０Ａの両側に配置される蓄電素子１０のそれぞれの閉塞部１２３に沿って延び且つ該閉塞部１２３と対向する第四対向面２１１４を有する。第四の角規制部２１４Ａの第三対向面２１１３と第四対向面２１１４とは、接続されている。そして、Ｘ軸方向において蓄電素子１０の両側に配置される内部スペーサ２Ａの第四の角規制部２１４Ａ同士は、先端を対向させている（図２参照）。即ち、蓄電素子１０を挟んで隣り合う二つの内部スペーサ２Ａのうちの一方の内部スペーサ２Ａの第四の角規制部２１４Ａ（詳しくは、第一の規制部）と、他方の内部スペーサ２Ａの第四の角規制部２１１Ａ（詳しくは、第二の規制部）とは、先端を対向させている。
【００４８】
本実施形態の第三の角規制部２１３Ａと第四の角規制部２１４Ａとは、ベース２０Ａの第二端に沿って延び且つ繋がっている。即ち、第三の角規制部２１３Ａの第四対向面２１１４と、第四の角規制部２１４Ａの第四対向面２１１４とは、Ｙ軸方向に連接している。即ち、第三の角規制部２１３Ａの第四対向面２１１４と第四の角規制部２１４Ａの第四対向面２１１４とは、共通の面である。
【００４９】
一対のシール部（突部）２２のそれぞれは、図５〜図７に示すように、ベース２０Ａの第一面と第二面とにおけるＺ軸方向の異なる位置においてＹ軸方向に延びると共に、規制部２１Ａの先端まで連続して延びる。蓄電素子１０を挟んで配置された内部スペーサ２Ａの対向する一対の規制部２１Ａ（第一の規制部及び第二の規制部）において、該規制部２１Ａの先端まで延びるシール部２２の先端同士は、互いに対向している（図１２参照）。
【００５０】
以下では、一対の蓋側シール部２３Ａ、２３Ｂと一対の底側シール部２４Ａ、２４Ｂとのそれぞれについて詳細に説明する。
【００５１】
ベース２０Ａの第一面側の蓋側シール部（以下、「第一の蓋側シール部」と称する。）２３Ａは、図５、図７、図８、図１２、及び図１３に示すように、ベース２０Ａに配置された第一部位２３１と、第一の角規制部２１１Ａ（詳しくは、第一の角規制部２１１Ａの第一の規制部）及び第二の角規制部２１２Ａ（詳しくは、第二の角規制部２１２Ａの第一の規制部）に配置された第二部位２３２と、を含む。また、第一の蓋側シール部２３Ａは、第一部位２３１と第二部位２３２とを接続する第一の接続部位２３５を含む。本実施形態の第一の蓋側シール部２３Ａは、第一部位２３１の端部から、第一の角規制部２１１Ａ及び第二の角規制部２１２ＡにおけるＺ軸方向の略同じ位置においてＸ軸方向に延びる延設部位２３６も含む。
【００５２】
第一の蓋側シール部２３Ａの第一部位２３１は、ベース２０Ａの湾曲部位２０５における第一面側（一方側）に膨出する位置に設けられる。詳しくは、第一部位２３１は、図５、図７及び図８に示すように、ベース２０ＡのＺ軸方向における一方の端部（図７における上端部）に設けられた湾曲部位２０５における第一の膨出部位２０６の先端（膨出方向の先端）においてＹ軸方向に延びている。
【００５３】
第一の蓋側シール部２３Ａの第二部位２３２は、図７、図８、及び図１３に示すように、第一の角規制部２１１Ａ及び第二の角規制部２１２Ａにおいて、Ｚ軸方向における第一部位２３１と異なる位置に配置されている。本実施形態の第二部位２３２は、Ｚ軸方向において第一部位２３１より閉塞部１２３側（図７における下端側）の位置に配置されている。この第二部位２３２は、第一の角規制部２１１Ａ及び第二の角規制部２１２Ａにおける第一対向面２１１１においてＸ軸方向に延びている。
【００５４】
第一の蓋側シール部２３Ａの第一の接続部位２３５は、蓄電素子１０のケース１２の角部１２７に当接する部位である。この第一の接続部位２３５（詳しくは、第一の接続部位２３５の先端）は、図５、図７、図８、及び図１３に示すように、第一部位２３１から第二部位２３２に向かうにつれてＺ軸方向の位置を連続的に変化させている。本実施形態の第一の接続部位２３５は、第一部位２３１の端部から第二部位２３２の端部に向かうにつれて閉塞部１２３側にＺ軸方向の位置を連続的に変化させている。この第一の接続部位２３５は、湾曲部位２０５と第一の角規制部２１１Ａ又は第二の角規制部２１２Ａとが接続される角部に配置される。そして、第一の接続部位２３５の厚さ（Ｚ軸方向の寸法）は、該第一の接続部位２３５と連続する第一部位２３１の厚さ及び第二部位２３２の厚さより小さい。これにより、第一の接続部位２３５は、変形可能である。第一の接続部位２３５の先端（端縁）は、ケース１２の角部１２７より曲率半径の大きな円弧状である。
【００５５】
第一の蓋側シール部２３Ａの延設部位２３６は、第一部位２３１の端部から連続して第一の角規制部２１１Ａ又は第二の角規制部２１２Ａの先端まで延びている。
【００５６】
ベース２０Ａの第二面側の蓋側シール部（以下、「第二の蓋側シール部」と称する。）２３Ｂは、図６、図７、図９、及び図１４に示すように、ベース２０Ａに配置された第三部位２３３と、第一の角規制部２１１Ａ（詳しくは、第一の角規制部２１１Ａの第二の規制部）及び第二の角規制部２１２Ａ（詳しくは、第二の角規制部２１２Ａの第二の規制部）に配置された第四部位２３４と、を含む。また、第二の蓋側シール部２３Ｂは、第三部位２３３と第四部位２３４とを接続する第二の接続部位２３７を含む。
【００５７】
第二の蓋側シール部２３Ｂの第三部位２３３は、ベース２０Ａの湾曲部位２０５における第二面側（他方側）に膨出する位置に設けられる。即ち、第二の蓋側シール部２３Ｂの第三部位２３３は、Ｚ軸方向において第一の蓋側シール部２３Ａの第一部位２３１より閉塞部１２３側に配置される。詳しくは、第三部位２３３は、図６、図７及び図９に示すように、ベース２０ＡのＺ軸方向における一方の端部（図７における上端部）に設けられた湾曲部位２０５における第二の膨出部位２０７の先端（膨出方向の先端）においてＹ軸方向に延びている。
【００５８】
第二の蓋側シール部２３Ｂの第四部位２３４は、図７、図９、及び図１４に示すように、第一の角規制部２１１Ａ及び第二の角規制部２１２Ａにおいて、Ｚ軸方向における第三部位２３３と同じ位置に配置されている。この第四部位２３４は、第一の角規制部２１１Ａ及び第二の角規制部２１２Ａにおける蓄電素子１０の第二壁１２６と対向する第二対向面２１１２においてＸ軸方向に延びている。
【００５９】
第二の蓋側シール部２３Ｂの第二の接続部位２３７は、蓄電素子１０のケース１２の角部１２７に当接する部位である。この第二の接続部位２３７は、図６、図７、図９、及び図１４に示すように、湾曲部位２０５と第一の角規制部２１１Ａ又は第二の角規制部２１２Ａとが接続される角部において、Ｚ軸方向の同じ位置にある第三部位２３３と第四部位２３４とを接続している。第二の接続部位２３７の厚さ（Ｚ軸方向の寸法）は、該第二の接続部位２３７と連続する第三部位２３３の厚さ及び第四部位２３４の厚さと同じである。第二の接続部位２３７は、変形可能である。この第二の接続部位２３７の先端（端縁）は、ケース１２の角部１２７より曲率半径の大きな円弧状である。
【００６０】
以上のように構成される第二の蓋側シール部２３Ｂ（第三部位２３３及び第四部位２３４）は、Ｚ軸方向において、第一の蓋側シール部２３Ａの第二部位２３２と同じ位置である。そして、蓄電素子１０を挟んで配置された内部スペーサ２Ａの対向する第一の角規制部２１１Ａと第二の角規制部２１２Ａとにおいて先端まで延びる第一の蓋側シール部２３Ａと第二の蓋側シール部２３Ｂとの先端同士は、互いに対向している（図１２参照）。
【００６１】
ベース２０Ａの第一面側の底側シール部（以下、「第一の底側シール部」と称する。）２４Ａは、図５、図７、図１０、図１２、及び図１５に示すように、ベース２０Ａに配置された第一部位２４１と、第三の角規制部２１３Ａ（詳しくは、第三の角規制部２１３Ａの第一の規制部）及び第四の角規制部２１４Ａ（詳しくは、第四の角規制部２１４Ａの第一の規制部）に配置された第二部位２４２と、を含む。また、第一の底側シール部２４Ａは、第一部位２４１と第二部位２４２とを接続する第一の接続部位２４５を含む。本実施形態の第一の底側シール部２４Ａは、第一部位２４１の端部から、第三の角規制部２１３Ａ及び第四の角規制部２１４ＡにおけるＺ軸方向の略同じ位置においてＸ軸方向に延びる延設部位２４６も含む。
【００６２】
第一の底側シール部２４Ａの第一部位２４１は、ベース２０Ａの湾曲部位２０５における第一面側（一方側）に膨出する位置に設けられる。詳しくは、第一部位２４１は、図５、図７及び図１０に示すように、ベース２０ＡのＺ軸方向における他方の端部（図７における下端部）に設けられた湾曲部位２０５における第一の膨出部位２０６の先端（膨出方向の先端）においてＹ軸方向に延びている。
【００６３】
第一の底側シール部２４Ａの第二部位２４２は、図７、図１０、及び図１５に示すように、第三の角規制部２１３Ａ及び第四の角規制部２１４Ａにおいて、Ｚ軸方向における第一部位２４１と異なる位置に配置されている。本実施形態の第二部位２４２は、Ｚ軸方向において第一部位２４１より蓋板１２１側の位置に配置されている。この第二部位２４２は、第三の角規制部２１３Ａ及び第四の角規制部２１４Ａにおける蓄電素子１０の第二壁１２６と対向する第三対向面２１１３においてＸ軸方向に延びている。
【００６４】
第一の底側シール部２４Ａの第一の接続部位２４５は、図５、図７、図１０、及び図１５に示すように、第一部位２４１から第二部位２４２に向かうにつれてＺ軸方向の位置を連続的に変化させている。本実施形態の第一の接続部位２４５（詳しくは、第一の接続部位２４５の先端）は、第一部位２４１の端部から第二部位２４２の端部に向かうにつれて蓋板１２１側（図７における上端側）にＺ軸方向の位置を連続的に変化させている。この第一の接続部位２４５は、湾曲部位２０５と第三の角規制部２１３Ａ又は第四の角規制部２１４Ａとが接続される角部に配置される。そして、第一の接続部位２４５の厚さ（Ｚ軸方向の寸法）は、該第一の接続部位２４５と連続する第一部位２４１の厚さ及び第二部位２４２の厚さより小さい。これにより、第一の接続部位２４５は、変形可能である。第一の接続部位２４５の先端（端縁）は、ケース１２の角部１２７より曲率半径の大きな円弧状である。
【００６５】
第一の底側シール部２４Ａの延設部位２４６は、第一部位２４１の端部から連続して第三規制部２１３Ａ又は第四規制部２１４Ａの先端まで延びている。
【００６６】
ベース２０Ａの第二面側の底側シール部（以下、「第二の底側シール部」と称する。）２４Ｂは、図６、図７、図１１、及び図１６に示すように、ベース２０Ａに配置された第三部位２４３と、第三の角規制部２１３Ａ（詳しくは、第三の角規制部２１３Ａの第二の規制部）及び第四の角規制部２１４Ａ（詳しくは、第四の角規制部２１４Ａの第二の規制部）に配置された第四部位２４４と、を含む。また、第二の底側シール部２４Ｂは、第三部位２４３と第四部位２４４とを接続する第二の接続部位２４７を含む。
【００６７】
第二の底側シール部２４Ｂの第三部位２４３は、ベース２０Ａの湾曲部位２０５における第二面側（他方側）に膨出する位置に設けられる。即ち、第二の底側シール部２４Ｂの第三部位２４３は、Ｚ軸方向において第一の底側シール部２４Ａの第一部位２４１より蓋板１２１側（図７における上端側）に配置される。詳しくは、第三部位２４３は、図６、図７及び図１１に示すように、ベース２０ＡのＺ軸方向における他方の端部（図７における下端部）に設けられた湾曲部位２０５における第二の膨出部位２０７の先端（膨出方向の先端）においてＹ軸方向に延びている。
【００６８】
第二の底側シール部２４Ｂの第四部位２４４は、図７、図１１、及び図１６に示すように、第三の角規制部２１３Ａ及び第四の角規制部２１４Ａにおいて、Ｚ軸方向における第三部位２４３と同じ位置に配置されている。この第四部位２４４は、第三の角規制部２１３Ａ及び第四の角規制部２１４Ａにおける蓄電素子１０の第二壁１２６と対向する第三対向面２１１３においてＸ軸方向に延びている。
【００６９】
第二の底側シール部２４Ｂの第二の接続部位２４７は、図６、図７、図１１、及び図１６に示すように、湾曲部位２０５と第三の角規制部２１３Ａ又は第四の角規制部２１４Ａとが接続される角部において、Ｚ軸方向の同じ位置にある第三部位２４３と第四部位２４４とを接続している。第二の接続部位２４７の厚さ（Ｚ軸方向の寸法）は、該第二の接続部位２４７と連続する第三部位２４３の厚さ及び第四部位２４４の厚さと同じである。第二の接続部位２４７は、変形可能である。この第二の接続部位２４７の先端（端縁）は、ケース１２の角部１２７より曲率半径の大きな円弧状である。
【００７０】
以上のように構成される第二の底側シール部２４Ｂ（第三部位２４３及び第四部位２４４）は、Ｚ軸方向において、第一の底側シール部２４Ａの第二部位２４２と同じ位置である。そして、蓄電素子１０を挟んで配置された内部スペーサ２Ａの対向する第三の角規制部２１３Ａと第四の角規制部２１４Ａとにおいて先端まで延びる第一の底側シール部２４Ａと第二の底側シール部２４Ｂとの先端同士は、互いに対向している（図１２参照）。
【００７１】
外部スペーサ２Ｂは、図２及び図１７に示すように、蓄電素子１０を介して該内部スペーサ２Ａと隣り合うように配置される。本実施形態の蓄電装置１は、一対の外部スペーサ２Ｂを備える。一対の外部スペーサ２Ｂのぞれぞれは、複数の蓄電素子１０のうちの最も端にある蓄電素子１０に隣り合う。即ち、外部スペーサ２Ｂは、Ｘ軸方向に整列する複数の蓄電素子１０を挟み込むように一対設けられる。
【００７２】
具体的に、外部スペーサ２Ｂは、Ｙ−Ｚ面方向に広がるベース２０Ｂと、該ベース２０Ｂと隣り合う蓄電素子１０の位置ずれを規制する規制部２１Ｂとを有する。また、本実施形態の外部スペーサ２Ｂは、ベース２０Ｂ及び規制部２１Ｂから隣り合う蓄電素子１０に向けて突出し且つ該隣り合う蓄電素子１０に接するシール部２５を有する。
【００７３】
本実施形態の外部スペーサ２Ｂのベース２０Ｂは、保持部材３の終端部材３０と対向する（隣り合う）。即ち、外部スペーサ２Ｂは、蓄電素子１０と終端部材３０との間に配置される。
【００７４】
外部スペーサ２Ｂのベース２０Ｂは、Ｙ−Ｚ面方向に広がるプレート状のベース本体２０１Ｂを有する。このベース本体２０１Ｂは、蓄電素子１０（ケース本体１２０の第一壁１２５）に対向する第一面及び該第一面とは反対側の第二面を有する。また、ベース２０Ｂは、ベース本体２０１Ｂの第二面から終端部材３０に向けて突出し且つ終端部材３０に当接する外部接触部２０２Ｂと、ベース本体２０１Ｂの第一面から蓄電素子１０に向けて突出し且つ該蓄電素子１０に当接する内部接触部２０３Ｂと、を有する。
【００７５】
ベース本体２０１Ｂは、蓄電素子１０の蓋板１２１に対応する位置に配置される第一端と、該第一端とは反対側の第二端であって、蓄電素子１０の閉塞部１２３に対応する位置に配置される第二端と、を有する。また、ベース本体２０１Ｂは、蓄電素子１０の一方の第二壁１２６に対応する位置に配置される第三端と、該第三端とは反対側の第四端であって、蓄電素子１０の他方の第二壁１２６に対応する位置に配置される第四端と、を有する。
【００７６】
ベース本体２０１Ｂは、第一端と第三端とが接続される部分である第一角部と、第一端と第四端とが接続される部分である第二角部と、を有する。また、ベース本体２０１Ｂは、第二端と第三端とが接続される部分である第三角部と、第二端と第四端とのそれぞれが接続される部分である第四角部と、を有する。
【００７７】
尚、ベース本体２０１Ｂの第一端及び第二端のそれぞれは、Ｙ軸方向に延びる。また、ベース本体２０１Ｂの第三端及び第四端のそれぞれは、Ｚ軸方向に延びる。これにより、ベース本体２０１Ｂは、Ｘ軸方向視において略矩形状の輪郭を有する。この輪郭は、Ｘ軸方向視において、蓄電素子１０の第一壁１２５と略同じである。
【００７８】
ベース２０Ｂは、第一面と、該第一面と隣り合う蓄電素子１０との間に、流体（例えば、蓄電素子１０の温度調整用の流体）を通過させるための流路を形成する。
【００７９】
より具体的に説明する。内部接触部２０３Ｂは、Ｙ軸方向に延びる突条である。本実施形態のベース２０Ｂは、複数の内部接触部２０３Ｂを有する。そして、複数の内部接触部２０３Ｂのそれぞれは、Ｚ軸方向に間隔をあけて平行に並ぶ。これにより、ベース２０Ｂと、該ベース２０Ｂと隣り合う蓄電素子１０との間に、複数の流路が形成される。各流路は、Ｙ軸方向に流体を流通させる。
【００８０】
外部接触部２０２Ｂは、ベース本体２０１Ｂから終端部材３０に向けて突出し、終端部材３０に当接している。これにより、ベース本体２０１Ｂと終端部材３０との間に、隙間が形成される。
【００８１】
規制部２１Ｂは、ベース２０Ｂの第一面と隣り合う蓄電素子１０に向かって延びる。この規制部２１Ｂは、上述のように、ベース２０Ｂに隣り合う蓄電素子１０の該ベース２０Ｂに対するＹ−Ｚ面方向の位置ずれを防止する。即ち、規制部２１Ｂは、外部スペーサ２Ｂと、該外部スペーサ２Ｂと隣り合う蓄電素子１０とのＹ−Ｚ面方向の相対移動を規制する。以下では、Ｘ軸方向の一方側（図２における左側）に延びる規制部２１Ｂを第一の規制部と称し、Ｘ軸方向の他方側（図２における右側）に延びる規制部２１Ｂを第二の規制部と称することもある。
【００８２】
規制部２１Ｂは、ベース２０Ｂ（詳しくは、ベース本体２０１Ｂ）の各角部に形成される。詳しくは、外部スペーサ２Ｂは、ベース２０Ｂの第一角部に形成される第一の角規制部２１１Ｂと、ベース２０Ｂの第二角部に形成される第二の角規制部２１２Ｂと、ベース２０Ｂの第三角部に形成される第三の角規制部２１３Ｂと、ベース２０Ｂの第四角部に形成される第四の角規制部２１４Ｂと、を有する。本実施形態の第三の角規制部２１３Ｂと第四の角規制部２１４Ｂとは、ベース２０Ｂの第二端において繋がっている。
【００８３】
これらの各規制部２１Ｂ（第一〜第四の角規制部２１１Ｂ〜２１４Ｂ）と、外部スペーサ２Ｂと蓄電素子１０を挟んで対向する内部スペーサ２Ａの対応する規制部２１Ａ（第一〜第四の角規制部２１１Ａ〜２１４Ａ）とは、先端同士を対向させている。
【００８４】
シール部２５は、ベース２０Ｂの第一面においてＹ軸方向に延びると共に、規制部２１Ｂの先端まで連続して延びる。本実施形態のシール部２５は、Ｚ軸方向における外部スペーサ２Ｂの両端部にそれぞれ配置される。各シール部２５は、Ｚ軸方向において、外部スペーサ２Ｂと蓄電素子１０を挟んで対向する内部スペーサ２Ａのシール部２２と対応する位置に配置されている。具体的には、外部スペーサ２Ｂのシール部２５の端部（シール部２５における規制部２１Ｂに配置された部位の先端）と、内部スペーサ２Ａのシール部２２の端部（シール部２２における規制部２１Ａに配置された部位の先端）とは、対向している。
【００８５】
保持部材３は、金属製であり、図１及び図２に示すように、各外部スペーサ２Ｂと隣り合う位置のそれぞれに配置される一対の終端部材３０と、該一対の終端部材３０のそれぞれを接続するフレーム３１と、を備える。
【００８６】
一対の終端部材３０のそれぞれは、Ｙ−Ｚ面方向に広がる。一対の終端部材３０のそれぞれは、外部スペーサ２Ｂのベース２０Ｂから延びる外部接触部２０２Ｂに当接する圧接部３００を有する。
【００８７】
フレーム３１は、Ｘ軸方向に延び、一対の終端部材３０同士を接続する。本実施形態の保持部材３では、フレーム３１は、一対の終端部材３０のＹ軸方向の両端同士をそれぞれ接続する。即ち、保持部材３は、一対のフレーム３１を有する。
【００８８】
具体的に、フレーム３１は、Ｚ軸方向における蓄電素子１０の蓋板１２１と対応する位置においてＸ軸方向に延びる第一接続部３１０と、Ｚ軸方向における蓄電素子１０の閉塞部１２３と対応する位置においてＸ軸方向に延びる第二接続部３１１と、を有する。
【００８９】
また、フレーム３１は、Ｙ軸方向に延び且つ第一接続部３１０と第二接続部３１１とのＸ軸方向の端部同士を接続する一対の支持部３１２を有する。また、フレーム３１は、Ｙ軸方向に延び且つ第一接続部３１０と第二接続部３１１とのＸ軸方向の中間部位同士を接続する補強部３１３を有する。
【００９０】
以上のように、第一接続部３１０と第二接続部３１１との端部同士を一対の支持部３１２が接続することによって、フレーム３１は、枠体状に形成される。
【００９１】
インシュレータ４は、絶縁性を有する材料で構成されている。そして、インシュレータ４は、フレーム３１と、複数の蓄電素子１０との間に配置される。具体的に、インシュレータ４は、Ｘ軸方向に延び、且つ第一接続部３１０と複数の蓄電素子１０との間に配置される第一絶縁部４０と、Ｘ軸方向に延び、且つ第二接続部３１１と前記複数の蓄電素子１０との間に配置される第二絶縁部４１と、を有する。また、インシュレータ４は、Ｙ軸方向に延び、且つ、支持部３１２と蓄電素子１０との間に配置される一対の第三絶縁部４２を有する。さらに、インシュレータ４は、Ｙ軸方向に延び、且つ補強部３１３と蓄電素子１０との間に配置される第四絶縁部４３を有する。
【００９２】
一対の第三絶縁部４２のぞれぞれは、第一絶縁部４０と第二絶縁部４１とのＸ軸方向の端部同士を接続する。また、第四絶縁部４３は、Ｘ軸方向における補強部３１３と対応する位置において第一絶縁部４０と第二絶縁部４１とを接続する。
【００９３】
以上の蓄電装置１では、Ｘ軸方向に隣り合う一方側の内部スペーサ２Ａの第一面と他方側の内部スペーサ２Ａの第二面とにおいてシール部２２（詳しくは、第一部位２３１と第三部位２３３）のＺ軸方向の位置が異なっていても、蓄電素子１０のＹ軸方向の端部において対向する一対の規制部２１Ａ（詳しくは、第一の規制部と第二の規制部）の先端までシール部２２がそれぞれ延び且つ先端同士が互いに対向している。このため、蓄電素子１０のＹ軸方向の端部では、対向する一対の規制部２１Ａ（詳しくは、第一の規制部と第二の規制部）同士の間隔分しかシール部２２の先端間に隙間が形成されない。これにより、対向する一対の規制部２１Ａのそれぞれに形成されたシール部２２同士の間からの流体（流路を流れる流体）の漏れ、即ち、蓄電素子１０と規制部２１Ａ（先端を対向させている第一の規制部及び第二の規制部）との間からの流体の漏れを抑えることができる。
【００９４】
また、本実施形態の蓄電装置１では、第一の接続部位２３５、２４５は、第一部位２３１、２４１から第二部位２３２、２４２に向かうにつれてＺ軸方向の位置を連続的に変化させている。即ち、第一の接続部位２３５、２４５は、Ｚ軸方向において位置の異なる第一部位２３１、２４１と第二部位２３２、２４２とをなだらかに接続している。このため、シール部２３Ａ、２４Ａに屈曲した部位が形成されず、これにより、蓄電素子１０とシール部２３Ａ、２４Ａとの間からの流体の漏れが好適に抑えられる。
【００９５】
本実施形態の蓄電装置１では、第一の接続部位２３５、２４５は、蓄電素子１０の角部１２７に当接し且つ変形可能である。このため、第一の接続部位２３５、２４５を蓄電素子１０の角部１２７に押し当てることで該第一の接続部位２３５、２４５が変形して該角部１２７に密接する。これにより、当該部位（蓄電素子１０の角部１２７と第一の接続部位２３５、２４５との接触部位）での流体の漏れがより好適に抑えられる。
【００９６】
また、本実施形態の蓄電装置１では、樹脂製の内部スペーサ２Ａが、一体成形され、ベース２０Ａが、Ｘ−Ｚ面に沿った断面がＺ軸方向の異なる位置でＸ軸方向の一方側と他方側とに膨出するＳ字状の湾曲部位２０５（第一の膨出部位２０６及び第二の膨出部２０７）を有し、第一の接続部位２３５、２４５が、湾曲部位２０５（第一の膨出部位２０６）と規制部２１Ａとが接続される角部に配置されている。そして、第一の接続部位２３５、２４５のＺ軸方向の寸法は、第一部位２３１、２４１及び第二部位２３２、２４２のＺ軸方向の寸法より小さい。これにより、内部スペーサ２Ａの両側に配置された蓄電素子１０に挟まれて該スペーサの湾曲部位２０５がＺ軸方向に伸びても（変形しても）、樹脂製の薄い（Ｚ軸方向の寸法の小さい）第一の接続部位２３５、２４５は、変形して第一部位２３１、２４１と第二部位２３２、２４２とのＺ軸方向における相対位置の変動を吸収することができる。その結果、蓄電素子１０と第一の接続部位２３５、２４５との間からの流体の漏れをより好適に抑えることができる。
【００９７】
また、本実施形態の蓄電装置１では、第一部位２３１、２４１は、Ｚ軸方向において、第二部位２３２、２４２、第三部位２３３、２４３、及び第四部位２３４、２４４よりベース２０Ａの端部（第一端又は第二端）に近い位置に配置されている。かかる構成によれば、第一部位２３１、２４１のみがベース２０ＡのＺ軸方向の端部（第一端又は第二端）に近い位置に配置される（即ち、第二〜第四部位２３２、２４２、２３３、２４３、２３４、２４４がＺ軸方向において前記端部から離れた位置に配置される）ため、寸法誤差等によって蓄電素子１０のＺ軸方向の寸法等が設定値より小さくても、第二〜第四部位２３２、２４２、２３３、２４３、２３４、２４４が蓄電素子１０と当接し易い。これにより、前記寸法誤差等に起因する流体の漏れの増大が抑えられる。
【００９８】
また、本実施形態の蓄電装置１では、一対のシール部２２が、内部スペーサ２ＡにおけるＺ軸方向の両端部に配置されている。これにより、蓄電素子１０と内部スペーサ２Ａとの間に形成される流路の流路断面積を確保しつつ、該流路をＹ軸方向に流れる流体がＺ軸方向の両端から外部に漏れるのをより効果的に防ぐことができる。
【００９９】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【０１００】
シール部２２における規制部２１Ａに配置された部位の具体的構成は、限定されない。例えば、上記実施形態の蓄電装置１では、対向する一対の規制部２１Ａのそれぞれに配置されるシール部２２の先端部は、Ｘ軸方向に延びた状態で互いに対向しているが、例えば、前記先端部は、図１８及び図１９に示すように、Ｘ軸方向に対して傾斜した状態で互いに対向してもよく、図２０に示すように、Ｚ軸方向に延びた状態で互いに対向していてもよい。また、シール部２２は、先端の少なくとも一部を互いに対向させていればよい。
【０１０１】
また、シール部２２は、ベース２０Ａにおいて真っ直ぐ延びているが、この構成に限定されず、湾曲、屈曲等していてもよい。
【０１０２】
上記実施形態の内部スペーサ２Ａにおける一対の蓋側シール部２３Ａ、２３Ｂでは、第一の蓋側シール部２３Ａの第一部位２３１が、第二の蓋側シール部２３Ｂの第三部位２３３よりＺ軸方向の外側に配置されているが、この構成に限定されない。第二の蓋側シール部２３Ｂの第三部位２３３が、第一の蓋側シール部２３Ａの第一部位２３１よりＺ軸方向の外側に配置されてもよい。同様に、一対の底側シール部２４Ａ、２４Ｂにおいて、第二の底側シール部２４Ｂの第三部位２４３が、第一の底側シール部２４Ａの第一部位２４１よりＺ軸方向の外側に配置されてもよい。
【０１０３】
また、上記実施形態の蓄電装置１では、一対のシール部２２は、内部スペーサ２ＡにおけるＺ軸方向の両端部にそれぞれ配置されているが、この構成に限定されない。一対のシール部２２は、内部スペーサ２ＡにおけるＺ軸方向の少なくとも一方の端部に配置されていればよい。また、内部スペーサ２ＡにおけるＺ軸方向の一方の端部において、複数対のシール部２２が配置されていてもよい。
【０１０４】
また、一対のシール部２２は、ベース２０ＡのＺ軸方向における中間部位に配置されていてもよい。この場合、規制部２１Ａも、ベース２０ＡのＺ軸方向における中間部位（シール部と対応する位置）に配置される。
【０１０５】
上記実施形態の蓄電装置１において、シール部の各部位（第一〜第四部位）は、Ｘ軸方向又はＹ軸方向に真っ直ぐ延びているが、この構成に限定されない。前記各部位は、湾曲又は屈曲等している部位を含んでいてもよい。
【０１０６】
シール部２２を備える部材の具体的構成は限定されない。上記実施形態の蓄電装置１では、シール部（突部）２２は、Ｘ軸方向に並ぶ複数の内部スペーサ２Ａのぞれぞれにおいて、両面に設けられているが、この構成に限定されない。例えば、蓄電素子１０を挟んで対向する一対のスペーサのうちの一方（第一）のスペーサ２Ａ、２Ｂの蓄電素子１０を向いた面側の部位、及び、他方（第二）のスペーサ２Ａ、２Ｂの蓄電素子１０を向いた面側の部位に設けられていればよい。この場合、例えば具体的には、以下の通りである。
【０１０７】
一方のスペーサ２Ａ、２Ｂは、Ｘ軸方向と直交する方向に広がり且つ蓄電素子１０を向く第一の面を有すると共に、蓄電素子１０との間に流体が流通可能な流路を形成する第一のベース２０Ａ、２０Ｂと、蓄電素子１０におけるＹ軸方向の端部に沿って第一のベース２０Ａ、２０ＢからＸ軸方向に延びる規制部２１Ａ、２１Ｂ（詳しくは、第一の規制部）と、第一のベース２０Ａ、２０Ｂの第一の面及び第一の規制部から蓄電素子１０に向けて突出し且つ該蓄電素子１０に接する第一の突部２２と、を有する。そして、第一の突部２２は、第一のベース２０Ａ、２０Ｂの第一の面においてＹ軸方向に延びる第一部位２３１、２４１と、第一の規制部において第一のベース２０Ａ、２０Ｂ側から該第一の規制部の先端まで延びる第二部位２３２、２４２と、を含むと共に、少なくとも第一部位２３１、２４１における第一の規制部側の端部から第二部位２３２、２４２の先端まで連続している。
【０１０８】
また、他方のスペーサ２Ａ、２Ｂは、Ｘ軸方向と直交する方向に広がり且つ蓄電素子１０を向く第二の面を有すると共に、蓄電素子１０との間に流体が流通可能な流路を形成する第二のベース２０Ａ、２０Ｂと、蓄電素子１０におけるＹ軸方向の端部に沿って第二のベース２０Ａ、２０ＢからＸ軸方向に延びる規制部２１Ａ、２１Ｂ（詳しくは、第二の規制部）と、第二のベース２０Ａ、２０Ｂの第二の面及び第二の規制部から蓄電素子１０に向けて突出し且つ該蓄電素子１０に接する第二の突部２２と、を有する。そして、第二の突部２２は、第二のベース２０Ａ、２０Ｂの第二の面においてＹ軸方向に延び、且つＺ軸方向において第一の突部２２の第一部位２３１、２４１と異なる位置に配置される第三部位２３３、２４３と、第二の規制部において第二のベース２０Ａ、２０Ｂ側から該第二の規制部の先端まで延びる第四部位２３４、２４４と、を含むと共に、少なくとも第三部位２３３、２４３における第二の規制部側の端部から第四部位２３４、２４４の先端まで連続している。
【０１０９】
このようなスペーサ２Ａ、２Ｂにおいて、一方のスペーサ２Ａ、２Ｂの第一の規制部の先端と他方のスペーサ２Ａ、２Ｂの第二の規制部の先端とは、Ｘ軸方向において対向し、一方のスペーサ２Ａ、２Ｂにおける第二部位２３２、２４２の先端と、他方のスペーサ２Ａ、２Ｂにおける第四部位２３４、２４４の先端とは、対向していればよい。
【０１１０】
また、この場合、スペーサ２Ａ、２Ｂのベース２０Ａ、２０Ｂは、Ｙ−Ｚ面方向に広がる板状でなくてもよい。即ち、一方のスペーサ２Ａ、２Ｂにおける蓄電素子１０と反対側の部位の形状、及び他方のスペーサ２Ａ、２Ｂにおける蓄電素子１０と反対側の部位の形状は、限定されない。
【０１１１】
本発明は、以下の形で実施することができる。
【０１１２】
（１）
第一方向に並ぶ第一のスペーサ及び第二のスペーサと、
前記第一のスペーサ及び前記第二のスペーサの間に配置される蓄電素子と、を備え、
前記第一のスペーサは、
前記第一方向と直交する方向に広がり且つ前記蓄電素子を向く第一の面を有すると共に、前記蓄電素子との間に流体が流通可能な流路を形成する第一のベースと、
前記蓄電素子における第一方向と直交する第二方向の端部に沿って前記第一のベースから第一方向に延びる第一の規制部と、
前記第一のベースの前記第一の面及び前記第一の規制部から前記蓄電素子に向けて突出し且つ該蓄電素子に接する第一の突部と、を有し、
前記第一の突部は、前記第一のベースの前記第一の面において前記第二方向に延びる第一部位と、前記第一の規制部において前記第一のベース側から該第一の規制部の先端まで延びる第二部位と、を含むと共に、少なくとも前記第一部位における前記第一の規制部側の端部から前記第二部位の先端まで連続し、
前記第二のスペーサは、
前記第一方向と直交する方向に広がり且つ前記蓄電素子を向く第二の面を有すると共に、前記蓄電素子との間に流体が流通可能な流路を形成する第二のベースと、
前記蓄電素子における前記第二方向の前記端部に沿って前記第二のベースから前記第一方向に延びる第二の規制部と、
前記第二のベースの前記第二の面及び前記第二の規制部から前記蓄電素子に向けて突出し且つ該蓄電素子に接する第二の突部と、を有し、
前記第二の突部は、前記第二のベースの前記第二の面において前記第二方向に延び、且つ前記第一方向及び前記第二方向と直交する第三方向において前記第一の突部の前記第一部位と異なる位置に配置される第三部位と、前記第二の規制部において前記第二のベース側から該第二の規制部の先端まで延びる第四部位と、を含むと共に、少なくとも前記第三部位における前記第二の規制部側の端部から前記第四部位の先端まで連続し、
前記第一のスペーサの前記第一の規制部の先端と前記第二のスペーサの前記第二の規制部の先端とは、前記第一方向において対向し、
前記第一のスペーサにおける前記第二部位の先端と、前記第二のスペーサにおける前記第四部位の先端とは、対向する、蓄電装置。
【０１１３】
（２）
前記第二部位と前記第四部位とは、前記第三方向の同じ位置において前記第一方向にそれぞれ延び、
前記第三部位は、前記第三方向において前記第二部位及び前記第四部位と同じ位置に配置され、
前記第一の突部は、前記第一部位と前記第二部位とを接続する接続部位を含み、
前記接続部位は、前記第一部位から前記第二部位に向かうにつれて前記第三方向の位置を連続的に変化させる、上述の（１）に記載の蓄電装置。
【０１１４】
（３）
前記第一のベースは、板状の部位であり、且つ前記第一方向及び前記第三方向を含む面に沿った断面が前記蓄電素子に向けて膨出する第一の膨出部位を有し、
前記第一部位は、前記第一の膨出部位に配置され、
前記第一のベース、前記第一の規制部、及び前記第一の突部は、樹脂製の一体品であり、
前記接続部位は、前記第一の膨出部位と前記第一の規制部とが接続される角部に配置され、
前記接続部位の第三方向の寸法は、前記第一部位の第三方向の寸法より小さい、上述の（２）に記載の蓄電装置。
【０１１５】
（４）
前記第一部位は、前記第三方向において、前記第二部位、前記第三部位、及び前記第四部位より前記第一のベースの端部に近い位置に配置される、上述の（２）又は（３）に記載の蓄電装置。
【０１１６】
（５）
前記接続部位は、前記蓄電素子の角部に当接し且つ変形可能である、上述の（２）〜（３）のいずれかに記載の蓄電装置。
【０１１７】
（６）
前記流路は、前記流体を第二方向に流通させ、
前記第一の突部は、前記第一のベースの第一の面における前記第三方向の両端部に配置され、
前記第二の突部は、前記第二のベースの第二の面における前記第三方向の両端部に配置される、上述の（１）〜（５）のいずれかに記載の蓄電装置。
【０１１８】
（７）
前記蓄電素子は、角部が湾曲した角筒状の周面を有するケースを備え、
前記接続部位における突出方向の端縁は、前記ケースの前記角部より曲率半径の大きな円弧状である、上述の（２）〜（５）のいずれかに記載の蓄電装置。
【０１１９】
（８）
前記蓄電素子は、平面と角部とが交互に連なる角筒状の周面を有するケースを備え、
前記接続部位は、前記周面において、一つの平面から該平面と角部を介して隣り合う他の平面まで連続して接している、上述の（２）〜（５）、（７）のいずれかに記載の蓄電装置。
【０１２０】
（９）
第一方向と直交する方向に広がると共に、前記第一方向の一方を向く第一の面及び前記第一方向の他方を向く第二の面を有するベースと、
前記ベースにおける前記第一方向と直交する第二方向の端部から前記第一方向の一方に延びる第一の規制部と、
前記第一方向及び前記第二方向と直交する第三方向における前記第一の規制部と同じ位置において前記ベースの前記端部から前記第一方向の他方に延びる第二の規制部と、
前記ベースの前記第一の面及び前記第一の規制部から突出する第一の突部と、
前記ベースの前記第二の面及び前記第二の規制部から突出する第二の突部と、を備え、
前記第一の突部は、前記第一の面において前記第二方向に延びる第一部位と、前記第一の規制部において前記ベース側から該第一の規制部の先端まで延びる第二部位と、を含むと共に、少なくとも前記第一部位の前記第一の規制部側の端部から前記第二部位の先端まで連続し、
前記第二の突部は、前記第二の面において前記第二方向に延び且つ前記第三方向において前記第一の突部の前記第一部位と異なる位置に配置される第三部位と、前記第二の規制部において前記ベース側から該第二の規制部の先端まで延びる第四部位と、を含むと共に、少なくとも前記第三部位の前記第二の規制部側の端部から前記第四部位の先端まで連続し、
前記第二部位の先端と、前記第四部位の先端とは、前記第三方向において同じ位置である、スペーサ。
【０１２１】
（１０）
前記ベースは、
板状の部位であり且つ前記第一方向及び前記第三方向を含む面に沿った断面が前記第一方向の一方側に膨出する第一の膨出部位と、
板状の部位であり且つ前記第一方向及び前記第三方向を含む面に沿った断面が前記第一方向の他方側に膨出する第二の膨出部位と、を有し、
前記第一の膨出部位と前記第二の膨出部位とは、前記ベースにおいて前記第三方向の異なる位置に配置され、
前記第一部位は、前記第一の膨出部位に設けられ、
前記第三部位は、前記第二の膨出部位に設けられ、
前記ベース、前記第一の規制部、前記第二の規制部、前記第一の突部、及び前記第二の突部は、樹脂製の一体品であり、
前記第一の突部は、前記第一部位と前記第二部位とを接続し、且つ前記第一の膨出部位と前記第一の規制部とが接続される角部に配置される接続部位を含み、
前記接続部位の前記第三方向の寸法は、前記第一部位の前記第三方向の寸法より小さい、上述の（１１）に記載のスペーサ。
【０１２２】
（１１）
前記第一の膨出部位と前記第二の膨出部位とは、前記第三方向において連なる、上述の（１０）に記載のスペーサ。
【０１２３】
（１２）
複数の蓄電素子と、
上述の（１０）又は（１１）に記載の複数のスペーサと、を備え、
前記蓄電素子と前記スペーサとが前記第一方向において交互に配置された、蓄電装置。
【符号の説明】
【０１２４】
１…蓄電装置、２Ａ…内部スペーサ（スペーサ）、２Ｂ…外部スペーサ、２０Ａ、２０Ｂ…ベース、２００Ａ…第一当接部、２０１Ａ…第二当接部、２０２Ａ…連接部、２０１Ｂ…ベース本体、２０２Ｂ…外部接触部、２０３Ｂ…内部接触部、２０５…湾曲部位、２０６…第一の膨出部位、２０７…第二の膨出部位、２１Ａ、２１Ｂ…規制部、２１１Ａ、２１１Ｂ…第一の角規制部、２１２Ａ、２１２Ｂ…第二の角規制部、２１３Ａ、２１３Ｂ…第三の角規制部、２１４Ａ、２１４Ｂ…第四の角規制部、２１１１…第一対向面、２１１２…第二対向面、２１１３…第三対向面、２１１４…第四対向面、２２…シール部（突部）、２３Ａ、２３Ｂ…蓋側シール部（突部）、２４Ａ、２４Ｂ…底側シール部（突部）、２３１、２４１…第一部位、２３２、２４２…第二部位、２３３、２４３…第三部位、２３４、２４４…第四部位、２３５、２４５…第一の接続部位、２３６、２４６…延設部位、２３７、２４７…第二の接続部位、２５…シール部（突部）、３…保持部材、３０…終端部材、３００…圧接部、３１…フレーム、３１０…第一接続部、３１１…第二接続部、３１２…支持部、３１３…補強部、４…インシュレータ、４０…第一絶縁部、４１…第二絶縁部、４２…第三絶縁部、４３…第四絶縁部、５…バスバー、１０…蓄電素子、１１…電極体、１２…ケース、１２０…ケース本体、１２１…蓋板、１２３…閉塞部、１２４…胴部、１２５…第一壁、１２６…第二壁、１２７…角部、１３…外部端子、１５…絶縁部材、５００…蓄電装置、５０１…電池セル、５０２…蓄電セルホルダ、５０３…プレート部、５０４…係合部、５０５…冷却媒体通路、５０６…シール突起
【図１】
0006562297.tif 000002
【図２】
0006562297.tif 000003
【図３】
0006562297.tif 000004
【図４】
0006562297.tif 000005
【図５】
0006562297.tif 000006
【図６】
0006562297.tif 000007
【図７】
0006562297.tif 000008
【図８】
0006562297.tif 000009
【図９】
0006562297.tif 000010
【図１０】
0006562297.tif 000011
【図１１】
0006562297.tif 000012
【図１２】
0006562297.tif 000013
【図１３】
0006562297.tif 000014
【図１４】
0006562297.tif 000015
【図１５】
0006562297.tif 000016
【図１６】
0006562297.tif 000017
【図１７】
0006562297.tif 000018
【図１８】
0006562297.tif 000019
【図１９】
0006562297.tif 000020
【図２０】
0006562297.tif 000021
【図２１】
0006562297.tif 000022
【図２２】
0006562297.tif 000023